(57)【要約】  本開示は無線通信のための電子機器及び無線通信方法に関する。当該電子機器は一つ又は複数のプロセッサを含む。プロセッサは、第１のユーザ機器の近接サービスダイレクト通信の需要に応答して、当該第１のユーザ機器の現在のキャリアアグリゲーション状態を確定するように配置されている。プロセッサは、第１のユーザ機器のキャリアアグリゲーション状態に基づいて、当該第１のユーザ機器の近接サービスダイレクト通信のために用いられる当該第１のユーザ機器の無線リソース配置を確定するさらにように配置されている。【選択図】図１
2018520611.tif 000002
【特許請求の範囲】
【請求項１】
無線通信のための電子機器であって、
第１のユーザ機器の近接サービスダイレクト通信の需要に応答して、当該第１のユーザ機器の現在のキャリアアグリゲーション状態を確定し、
前記第１のユーザ機器のキャリアアグリゲーション状態に基づいて、当該第１のユーザ機器の近接サービスダイレクト通信のために用いられる当該第１のユーザ機器の無線リソース配置を確定するように配置されている一つ又は複数のプロセッサを含む電子機器。
【請求項２】
確定したキャリアアグリゲーション状態、及び当該第１のユーザ機器の機器能力に基づいて、近接サービスダイレクト通信を可能にするように現在のキャリアアグリゲーションを再配置するかどうかを確定し、前記キャリアアグリゲーション状態は、集約されたコンポーネントキャリア数を含む請求項１に記載の電子機器。
【請求項３】
現在のキャリアアグリゲーションを再配置することは、
少なくとも一つの集約されたコンポーネントキャリアを解放させることと、
集約されたコンポーネントキャリアの一つを配置して近接サービスダイレクト通信のために使用することとの少なくとも一つを含む請求項２に記載の電子機器。
【請求項４】
前記一つ又は複数のプロセッサは、さらに、所定のキャリア集合から、前記第１のユーザ機器が近接サービスダイレクト通信を実行するためのキャリアを確定するように配置されている請求項２に記載の電子機器。
【請求項５】
前記一つ又は複数のプロセッサは、前記集約されたコンポーネントキャリアのうちチャネル品質が低い、又はアクティブではないコンポーネントキャリアを優先的に選択して解放させ、又は近接サービスダイレクト通信のためのキャリアとするように配置されている請求項３に記載の電子機器。
【請求項６】
前記一つ又は複数のプロセッサは、前記第１のユーザ機器と近接サービスダイレクト通信を行おうとする第２のユーザ機器が前記集約されたコンポーネントキャリアの一つと同じなキャリアを使用している場合に、当該同じキャリアを、前記第２のユーザ機器と前記第１のユーザ機器との間の近接サービスダイレクト通信のためのキャリアとして選択するように配置されている請求項３に記載の電子機器。
【請求項７】
前記一つ又は複数のプロセッサは、前記第１のユーザ機器によって使用された集約されたコンポーネントキャリアの数が所定の数に到達しない場合に、前記キャリア集合から、近接サービスダイレクト通信のために使用しようとするキャリアを選択するように配置され、前記キャリア集合は、前記第１のユーザ機器のサービング基地局がスケジューリング可能、且つ前記第１のユーザ機器、及び前記第１のユーザ機器と近接サービスダイレクト通信を行おうとする第２のユーザ機器によって使用されない複数のキャリアを含む請求項４に記載の電子機器。
【請求項８】
前記一つ又は複数のプロセッサは、さらに前記サービング基地局がサービングする、前記第１のユーザ機器以外の他のユーザ機器による前記キャリア集合におけるキャリアの使用状況に応じて、前記近接サービスダイレクト通信のために使用しようとするキャリアを選択するように配置されている請求項７に記載の電子機器。
【請求項９】
特定のキャリアの前記使用状況は、
現在に前記特定のキャリアを使用してセルラー通信を行っているユーザ機器の数と、
現在に前記特定のキャリアを使用して近接サービスダイレクト通信を行っているユーザ機器の数と、
前記特定のキャリアのカバー範囲と、
履歴において前記特定のキャリアが使用された頻度と、
履歴において前記特定のキャリアが使用された合計使用時間との一つ又は複数を含む請求項８に記載の電子機器。
【請求項１０】
前記一つ又は複数のプロセッサは、
前記キャリア集合における少なくとも一部のキャリアについての参照信号受信電力の測定結果にアクセスし、
前記測定結果に応じて、前記近接サービスダイレクト通信に使用しようとするキャリアを選択するように配置され、
参照信号受信電力が低いキャリアを優先的に選択する請求項７に記載の電子機器。
【請求項１１】
前記一つ又は複数のプロセッサは、前記キャリア集合における、前記近接サービスダイレクト通信として使用する候補キャリアについてのキャリアの指示情報を生成するように配置されている請求項７に記載の電子機器。
【請求項１２】
前記候補キャリアについての指示情報は、前記候補キャリアの優先順位に関する情報を含む請求項１１に記載の電子機器。
【請求項１３】
前記候補キャリアについての指示情報を少なくとも前記第１のユーザ機器に送信するように配置されている送受信装置をさらに含む請求項１１に記載の電子機器。
【請求項１４】
前記送受信装置は、無線リソース制御シグナリングにより前記候補キャリアについての指示情報を送信するように配置されている請求項１３に記載の電子機器。
【請求項１５】
前記一つ又は複数のプロセッサは、所定の時間内に前記少なくとも一部のキャリアの全てのキャリアの前記測定結果を取得しない場合に、既に前記測定結果を取得したキャリアから前記近接サービスダイレクト通信に使用しようとするキャリアを選択するように配置されている請求項１０に記載の電子機器。
【請求項１６】
前記一つ又は複数のプロセッサは、所定の閾値よりも低い前記検出結果を取得した場合に、相応するキャリアを前記近接サービスダイレクト通信に使用しようとするキャリアとして選択するように配置されている請求項１０に記載の電子機器。
【請求項１７】
前記一つ又は複数のプロセッサは、所定の時間内に所定の閾値よりも連続的に低い前記検出結果を取得した場合に、相応するキャリアを、前記近接サービスダイレクト通信に使用しようとするキャリアとして選択するように配置されている請求項１０に記載の電子機器。
【請求項１８】
前記キャリア集合は、近接サービスダイレクト通信に専用の１組の固定のキャリアを含む請求項４に記載の電子機器。
【請求項１９】
前記キャリア集合は、近接サービスダイレクト通信に専用の複数組の固定のキャリアを含み、各組のキャリアは、特定の範囲内の近接サービスダイレクト通信のために用いられる請求項４に記載の電子機器。
【請求項２０】
前記キャリア集合についての指示情報を送信するように配置されている送受信装置をさらに含む請求項４に記載の電子機器。
【請求項２１】
前記送受信装置は、システム情報ブロックにより前記キャリア集合についての指示情報をブロードキャストするように配置されている請求項２０に記載の電子機器。
【請求項２２】
前記電子機器は前記第１のユーザ機器のサービング基地局として作動する請求項１〜２１のいずれか一項に記載の電子機器。
【請求項２３】
前記電子機器は前記第１のユーザ機器として作動する請求項１〜６のいずれか一項に記載の電子機器。
【請求項２４】
基地局からの、前記近接サービスダイレクト通信として使用する候補キャリアについての指示情報を受信するように配置されている送受信装置をさらに含む請求項２３に記載の電子機器。
【請求項２５】
前記一つ又は複数のプロセッサは、さらに、
前記候補キャリアについての基準信号受信電力の測定を制御し、
前記基準信号受信電力の測定結果に応じて前記近接サービスダイレクト通信に使用しようとするキャリアを選択するように配置され、
基準信号受信電力が低いキャリアを優先的に選択する請求項２４に記載の電子機器。
【請求項２６】
前記一つ又は複数のプロセッサは、
所定の時間内に前記候補キャリアの全てのキャリアの前記測定結果を取得しない場合に、既に前記測定結果を取得したキャリアから前記近接サービスダイレクト通信に使用しようとするキャリアを選択するように配置されている請求項２５に記載の電子機器。
【請求項２７】
前記一つ又は複数のプロセッサは、所定の閾値よりも低い前記検出結果を取得した場合に、相応するキャリアを、前記近接サービスダイレクト通信に使用しようとするキャリアとして選択するように配置されている請求項２５に記載の電子機器。
【請求項２８】
前記一つ又は複数のプロセッサは、所定の時間内に所定の閾値よりも連続的に低い前記検出結果を取得した場合に、相応するキャリアを、前記近接サービスダイレクト通信に使用しようとするキャリアとして選択するように配置されている請求項２５に記載の電子機器。
【請求項２９】
前記一つ又は複数のプロセッサは、さらに、
前記候補キャリアについての基準信号受信電力の測定を制御し、
前記候補キャリアについての基準信号受信電力の測定結果の指示情報を生成するように配置されている請求項２４に記載の電子機器。
【請求項３０】
無線通信方法であって、
第１のユーザ機器の近接サービスダイレクト通信の需要に応答して、当該第１のユーザ機器の現在のキャリアアグリゲーション状態を確定し、
前記第１のユーザ機器のキャリアアグリゲーション状態に基づいて、当該第１のユーザ機器の近接サービスダイレクト通信のために用いられる当該第１のユーザ機器の無線リソース配置を確定することを含む無線通信方法。
【発明の詳細な説明】
【技術分野】
【０００１】
本開示は、一般に、無線通信分野に関し、より具体的に、無線通信のための電子機器及び無線通信方法に関する。
【背景技術】
【０００２】
３ＧＰＰ（第３世代移動体通信システムの標準化プロジェクト）標準に係る近接サービス（Ｐｒｏｘｉｍｉｔｙ−ｂａｓｅｄ  ｓｅｒｖｉｃｅ，ＰｒｏＳｅ）ダイレクト通信とは、ユーザ（ＵＥ）が直接に相互に通信を行うモードであり、ＰｒｏＳｅダイレクト通信は、例えばデバイスツウデバイス（Ｄ２Ｄ）通信、車両と相関実体との間に行われる通信（例えば車車間（Ｖ２Ｖ）、路車間通信（Ｖ２Ｉ）、歩車間通信（Ｖ２Ｐ）の通信などを含み得るＶ２Ｘ通信）を含んでもよい。図１４の模式図に示すように、近接サービスダイレクト通信を行うＵＥ１とＵＥ２との間のリンクはｓｉｄｅｌｉｎｋと称され、その中、ＵＥ１とＵＥ２とはＰＣ５インタフェースによりリンクされ、ＵＥ１はＵＥ２はＵｕインタフェースを介して基地局とリンクされる。
【０００３】
また、従来の標準に準じて、無線リソース制御  （ＲＲＣ）接続の場合に、一般、進化型基地局（ｅＮＢ）はＵＥをスケジューリングしてそれとｅＮＢとのセルラー通信プライマリ周波数が同じリソースでＰｒｏＳｅダイレクト通信を行う。また、他のセルにＲＲＣ接続したＵＥは、自体が検出した無線通信リソース例えば公衆安全ＰｒｏＳｅキャリアでブロードキャストされているリソースプールに応じてＰｒｏＳｅダイレクト通信を行ってもよい。
【発明の概要】
【課題を解決するための手段】
【０００４】
以下では、本発明に関する簡単な概説を説明して、本発明のある局面に関する基本的理解を提供する。この概説が本発明に関する取り尽くし的概説ではないと理解すべきである。それは、本発明の肝心又は重要部分を意図的に特定するものではなく、本発明の範囲を意図的に限定するものでもない。その目的は、簡素化の形式で、ある概念を提供して、後論述するより詳しい技術の前言とするものである。
【０００５】
一実施例によれば、一つ又は複数のプロセッサを含む無線通信のための電子機器を提供する。プロセッサは、第１のユーザ機器のＰｒｏＳｅダイレクト通信の需要に応答して、当該第１のユーザ機器の現在のキャリアアグリゲーション状態を確定するように配置されている。プロセッサは、さらに、第１のユーザ機器のキャリアアグリゲーション状態に基づいて、当該第１のユーザ機器の無線リソース配置を確定するように配置されている。無線リソース配置は当該第１のユーザ機器のＰｒｏＳｅダイレクト通信のために用いられる。
【０００６】
他の一実施例によれば、無線通信方法を提供する。当該方法は、第１のユーザ機器のＰｒｏＳｅダイレクト通信の需要に応答して、当該第１のユーザ機器の現在のキャリアアグリゲーション状態を確定するステップを含む。当該方法は、第１のユーザ機器のキャリアアグリゲーション状態に基づいて当該第１のユーザ機器の無線リソース配置を確定するステップをさらに含み、無線リソース配置は当該第１のユーザ機器のＰｒｏＳｅダイレクト通信のために用いられる。
【０００７】
本発明の実施例は、ＵＥのキャリアアグリゲーション状態に応じてＰｒｏＳｅダイレクト通信のための無線リソース配置をスケジューリングする方案を提供し、従来技術と比べて、本発明の方案は、ＵＥによる当該無線リソース配置の測定時間及び通信オーバーヘッドを短縮することに有利である。
【図面の簡単な説明】
【０００８】
本発明は、以下に図面と合わせて記載された説明を参照することによりよく理解できる。なお、全ての図面において、同一又は類似する部品を同一又は類似する符号で示している。前記図面は以下の詳細説明と共に本明細書に含まれ本明細書の一部として構成されており、更に例を挙げることにより本発明の好適な実施例を説明し、本発明の原理とメリットを解釈する。図面において、
【図１】本発明の一実施例による、無線通信のための電子機器の配置例を示すブロック図である。
【図２】他の一実施例による、無線通信のための電子機器における第２の確定ユニットの配置例を示すブロック図である。
【図３】他の一実施例による、無線通信のための電子機器の配置例を示すブロック図である。
【図４】他の一実施例による、無線通信のための電子機器の配置例を示すブロック図である。
【図５】他の一実施例による、無線通信のための電子機器の配置例を示すブロック図である。
【図６】他の一実施例による、無線通信のための電子機器の配置例を示すブロック図である。
【図７】他の一実施例による、無線通信のための電子機器の配置例を示すブロック図である。
【図８】本発明の一実施例による、無線通信方法の手順例を示すフローチャートである。
【図９】本発明の実施例による、無線リソース配置の手順例を説明するためのシグナリングフローチャートである。
【図１０】本発明の実施例による、無線リソース配置の手順例を説明するためのシグナリングフローチャートである。
【図１１】本発明の実施例による、無線リソース配置の手順例を説明するためのシグナリングフローチャートである。
【図１２】本発明の実施例による、無線リソース配置の手順例を説明するためのシグナリングフローチャートである
【図１３】本発明の実施例による、無線リソース配置の例示方式を説明するための模式図である。
【図１４】ＰｒｏＳｅダイレクト通信を説明するための模式図である。
【図１５】本開示の方法と装置を実現するコンピュータの概略的構成を示すブロック図である。
【図１６】本開示の内容を応用できるスマートフォンの概略的構成を示すブロック図である。
【図１７】本開示の内容を応用できるｅＮＢ（進化型基地局）の概略的構成を示すブロック図である。
【図１８】本発明の一実施例による、無線通信のための電子機器の配置例を示すブロック図である。
【発明を実施するための形態】
【０００９】
以下、図面を参照しながら本発明の実施例を説明する。本発明の一つの図面または一実施形態に記載の要素及び特徴は、一つ又はより多くのその他の図面又は実施形態に示された要素及び特徴と相互に結合することができる。なお、明瞭にするように、図面及び明細書において本発明に関係しない、当業者にとって公知の部品及び処理の表示及び記載が省略されたことを注意すべきである。
【００１０】
図１に示すように、本実施例による、無線通信のための電子機器１００はプロセッサ１１０を含んでいる。以下具体的実施例に基づいて説明するように、電子機器１００は基地局又はユーザ機器として作動してもよい。
【００１１】
また、指す必要があることは、図面に独立した破線枠でプロセッサ１１０における第１の確定ユニット１１１と第２のユニット１１３とを示しているが、第１の確定ユニット１１１と第２の確定ユニット１１３との機能は、プロセッサ１１０により全体として実現することもでき、必ずプロセッサ１１０のうち別々の実際の部品により実現されないと理解すべきである。また、図面に一つのブロックでプロセッサ１１０を示しているが、通信装置１００は複数のプロセッサを含むことができ、第１の確定ユニット１１１と第２の確定ユニット１１３との機能を複数のプロセッサに分散することができ、これにより、複数のプロセッサは連携しながら操作してこれらの機能を実行するようになる。
【００１２】
第１の確定ユニット１１１は、第１のユーザ機器のＰｒｏＳｅダイレクト通信の需要に応答して、当該第１のユーザ機器の現在のキャリアアグリゲーション  （ｃａｒｒｉｅｒ  ａｇｇｒｅｇａｔｉｏｎ）状態を確定するように配置されている。
【００１３】
ユーザ機器はキャリアアグリゲーションの方式により基地局と通信を行う際に、例えばダウンリンクキャリアアグリゲーションにおいて、基地局は、プライマリセル（Ｐｃｅｌｌ，Ｐｒｉｍａｒｙ  Ｃｅｌｌ）に対応するプライマリコンポーネントキャリア（ＰＣＣ，Ｐｒｉｍａｒｙ  Ｃｏｍｐｏｎｅｎｔ  Ｃａｒｒｉｅｒ）により主たる制御シグナリングをユーザ機器に伝送してもよく、その中にセカンダリセル（Ｓｃｅｌｌ，Ｓｅｃｏｎｄａｒｙ  Ｃｅｌｌ）に対応するセカンダリコンポーネントキャリア（ＳＣＣ，Ｓｅｃｏｎｄａｒｙ  Ｃｏｍｐｏｎｅｎｔ  Ｃａｒｒｉｅｒ）についてのリソーススケジューリング指示が含まれ、これによれば、クロスキャリアスケジューリング（ｃｒｏｓｓ  ｓｃｈｅｄｕｌｉｎｇ）を実現することができ、一方、アップリンクキャリアアグリゲーションにおいて、一般、ユーザ機器はプライマリセルのみによりアップリンク制御情報を基地局に送信する。現在の標準化の検討中、キャリアアグリゲーションとＰｒｏＳｅダイレクト通信との二つの技術が重畳した場合における具体的な作動方式について、言及されず、ユーザ機器は、一般に、同一のキャリアで時分割多重化して基地局及び他のユーザ機器と通信を行い、しかしながら、このような作動方式は、明らかに非効率的であり、本発明は幾つかの解決方案を提供することを意図する。
【００１４】
上記のように、電子機器１００は基地局又はユーザ機器として作動してもよい。例えば、電子機器１００は基地局として作動する場合に、当該基地局とＲＲＣ接続している第１のユーザ機器がＰｒｏＳｅダイレクト通信を行おうとする際に、第１のユーザ機器は当該基地局へ、相応する指示情報を送信し、そして、基地局は当該指示情報に応答して、例えば基地局によって保存されている情報に応じて第１のユーザ機器の現在のキャリアアグリゲーション状態を確定してもよい。また、電子機器１００は、第１のユーザ機器の自体である場合に、直接にＰｒｏＳｅダイレクト通信需要及び現在のキャリアアグリゲーション状態を知ることが可能である。
【００１５】
第２の確定ユニット１１３は、第１のユーザ機器のキャリアアグリゲーション状態に基づいて、第１のユーザ機器の無線リソース配置を確定するように配置されている。なお、無線リソース配置は第１のユーザ機器のＰｒｏＳｅダイレクト通信のために用いられる。
【００１６】
一実施例によれば、第２の確定ユニット１１３は、確定したキャリアアグリゲーション状態及び第１のユーザ機器の機器能力に基づいて、ＰｒｏＳｅダイレクト通信を可能にするように現在のキャリアアグリゲーションを再配置するかどうかを確定するように配置されてもよく、キャリアアグリゲーション状態は集約されたコンポーネントキャリア（ＣＣ）の数を含んでもよい。例えば、第１のユーザ機器の機器能力は、アップリンクマルチキャリアのサポート能力例えばアップリンクアグリゲーション能力（例えばアップリンクキャリアアグリゲーションをサポートするかどうか、サポート可能なアップリンクキャリアアグリゲーションのキャリア数上限）を含んでもよく、相応的に、キャリアアグリゲーション状態は現在アップリンクコンポーネントキャリアの数を含んでもよい。
【００１７】
また、現在のキャリアアグリゲーションを再配置することは、少なくとも一つの集約されたコンポーネントキャリアを解放させることを含んでもよく、再配置は、集約されたコンポーネントキャリアの一つを配置してＰｒｏＳｅダイレクト通信に使用することを含んでもよい。
【００１８】
より具体的に、第２の確定ユニット１１３は、例えば、集約されたコンポーネントキャリアの数が所定の閾値に到達した場合に、少なくとも一つの集約されたコンポーネントキャリアを解放させ、コンポーネントキャリアの一つを配置してＰｒｏＳｅダイレクト通信に使用するように配置されてもよい。当該所定の閾値は例えばユーザ機器の機器能力、例えばサポート可能なキャリア数上限に応じて定められる。
【００１９】
この実施例によれば、キャリアアグリゲーションの場合に、直接にＵＥをスケジューリングして既に使用されたセカンダリコンポーネントキャリア（ＳＣＣ）でＰｒｏＳｅ通信を行うことができ、これにより、例えば無線リソース配置のための測定時間、及び通信オーバーヘッドなどをさらに低減させることに有利である。
【００２０】
次に、電子機器１００が基地局として作動する場合を例として、キャリアアグリゲーションの再配置をＵＥに通知する概略的方式を説明する。例えば、基地局はメディアアクセスコントロール  （ＭＡＣ）シグナリング中のビットマップ（ｂｉｔｍａｐ）の形で現在のキャリアアグリゲーションの再配置をＵＥに通知してもよい。又は、同一のＲＲＣシグナリング（例えば、ＲＲＣＣｏｎｎｅｃｔｉｏｎＲｅｃｏｎｆｉｇｕｒａｔｉｏｎ）中の異なる情報要素（ＩＥ）とともに配置の通知を実現してもよく、例えば解放されたセカンダリキャリアに関する情報（ｓＣｅｌｌＴｏＲｅｌｅａｓｅＬｉｓｔ）とＰｒｏＳｅに関するセカンダリリンク配置情報（ｓｌ−ＣｏｍｍＣｏｎｆｉｇ）であり、その中の二つのＩＥに含まれている解放しようとするキャリア周波数とＰｒｏＳｅダイレクト通信のキャリア周波数とは同じである。
【００２１】
より具体的、例えば、従来のＭＡＣ制御要素（ＣＥ）のペイロード（ｐａｙｌｏａｄ）構造と一致するために、以下の表１に示す８ビットのデータビットを使用して相関するコンポーネントキャリアを指示することができる。
【００２２】
【表１】
2018520611.tif 000003
例えば、８ビットのビットマップは、８のセルがＰｒｏＳｅコンポーネントキャリアとするかどうかを示すのに十分であり、必要に応じてその中の一部のみを利用することが可能である。本例において、最後のビットは１に設定され、このシグナリングがＰｒｏＳｅ指示シグナリングであると標識することを目的とする。
【００２３】
前の７のビットについて、０は、対応するサービングセルがＰｒｏＳｅダイレクト通信を伝えないことを示し、１は、対応するサービングセルがＰｒｏＳｅダイレクト通信を伝えることを示す。
【００２４】
例えば、Ｃ７＝１であると、プライマリコンポーネントキャリアＰＣＣでＰｒｏＳｅダイレクト通信を確立することを示し、Ｃ６＝１であると、セカンダリコンポーネントキャリアＳＣＣ１でＰｒｏＳｅダイレクト通信を確立することを示す。幾つかの概略的な実施例において、前の７のビットのうち最大限に一つのビットが１であり、残ったビットはいずれも０であるように配置してもよい。
【００２５】
また、例えば、８ビットのうち一部又は全部を使用して符号化を行ってもよい。例えば、８ビットの符号化は、少なくとも２５６のセルの状況を示すことが可能であり、必要に応じてその中の一部のビットのみを利用してもよい。例えば３ビット「００１」を使用して  ＵＥのＰＣＣを代表し、「０１０」を使用してＵＥのＳＣＣ１などを代表し、図２に示すようである。
【００２６】
【表２】
2018520611.tif 000004
また、一実施例によれば、第２の確定ユニット１１３は、集約されたコンポーネントキャリアのうちチャネル品質が低い、又はアクティブではないコンポーネントキャリアを優先的に選択して解放させ、又はＰｒｏＳｅダイレクト通信のためのキャリアとするように配置されてもよい。
【００２７】
当該実施例により、現在のキャリアアグリゲーションを再配置してＰｒｏＳｅダイレクト通信を可能にするとともに、キャリアアグリゲーションによる元の通信の影響を減少させるようになる。
【００２８】
他の一実施例によれば、第２の確定ユニット１１３は、第１のユーザ機器とＰｒｏＳｅダイレクト通信を行おうとする第２のユーザ機器が第１のユーザ機器によって使用された集約されたコンポーネントキャリアの一つと同じキャリアを使用している場合に、当該同じキャリアを、第２のユーザ機器と第１のユーザ機器との間のＰｒｏＳｅダイレクト通信のためのキャリアとして選択ように配置されてもよい。
【００２９】
当該実施例により、ＰｒｏＳｅダイレクト通信の両方のユーザ機器はいずれも現在に使用されているコンポーネントキャリアを採用してＰｒｏＳｅダイレクト通信を行うので、無線リソース配置のための測定時間及び通信オーバーヘッドなどをさらに低減させることに有利である。
【００３０】
次に、電子機器１００は基地局として作動する場合を例として、集約されたコンポーネントキャリアの一つを配置してＰｒｏＳｅダイレクト通信のために使用する概略的方式を説明し、当該例において、上記各実施例の幾つかの方面に関し、しかしながら、本発明は当該例の具体的な細部に限定されないと指すべきである。
【００３１】
既存のコンポーネントキャリアから一つを選択してＰｒｏＳｅダイレクト通信に使用する必要がある場合に、例えばユーザが報告したサウンディング参照信号（ＳＲＳ）に応じて、基地局はそれぞれのコンポーネントキャリアのチャネル品質を比較し、一つのチャネル品質が悪いコンポーネントキャリアを選択してＰｒｏＳｅダイレクト通信として使用する。特に、ＰｒｏＳｅダイレクト通信を行おうとする二つのＵＥの間に同じコンポーネントキャリアを使用する場合に、このコンポーネントキャリアをＰｒｏＳｅダイレクト通信を伝えるために使用するが必ずしもチャネル品質を考慮せず、これにより、小さいオーバーヘッドで二つのＵＥの配置を完成するようになる。ＵＥの既存のコンポーネントキャリアからＰｒｏＳｅダイレクト通信を伝えるためのコンポーネントキャリアを選択した後に、基地局はユーザ機器へコンポーネントキャリア指示シグナリングを送信してもよく、このシグナリングは、ユーザ機器にどのコンポーネントキャリアでＰｒｏＳｅダイレクト通信を行うかを報告するためのものである。
【００３２】
より具体的、仮に、ＵＥ１はコンポーネントキャリアＣＣ１、ＣＣ２、ＣＣ３でセルラー通信を行い、ＣＣ１がＰＣＣであり、ＣＣ２とＣＣ３とがＳＣＣであることを仮定する。基地局は、ＣＣ２とＣＣ３とのアップリンクチャネル品質を比較し、そのうち悪いもの、例えばＣＣ３を選択すると、ＣＣ３を、ＰｒｏＳｅダイレクト通信を行うためのものとして確定する。
【００３３】
また、例えば、仮に、ＵＥ１のＰＣＣがＣＣ１であり、ＳＣＣ１がＣＣ２であり、ＳＣＣ２がＣＣ３であり、ＵＥ２のＰＣＣがＣＣ１であり、且つＳＣＣがないことを仮定する。ＵＥ１とＵＥ２とは同じキャリアＣＣ１を使用したので、ＣＣ１をＵＥ１とＵＥ２のＰｒｏＳｅダイレクト通信に使用してもよい。
【００３４】
キャリアを選択した後に、基地局はユーザへコンポーネントキャリア指示シグナリングを送信し、このシグナリングはユーザにどのＣＣでＰｒｏＳｅダイレクト通信を確立するかを報告するためのものである。
【００３５】
図９に、当該例に対応するシグナリング流れの例を示している。
ステップ１：ＵＥ２は基地局に対してＵＥ１とＰｒｏＳｅダイレクト通信を行うように要求し、当該要求は例えばＰｒｏＳｅ  ＵＥ  Ｉｎｆｏｒｍａｔｉｏｎ  ｉｎｄｉｃａｔｉｏｎである。
ステップ２：基地局はキャリアアグリゲーションの再配置方式を確定し、例えば、ＵＥ１に新しいコンポーネントキャリアを添加し、又はＵＥ１の既存のコンポーネントキャリアの一つを選択してＰｒｏＳｅダイレクト通信に使用する。
例えば、既存のコンポーネントキャリアの一つを選択してＰｒｏＳｅダイレクト通信に使用することを確定した場合に、ステップ３において基地局はＵＥ１のコンポーネントキャリアの一つを選択してＰｒｏＳｅダイレクト通信に使用する。
ステップ４：基地局は、ＵＥ１へコンポーネントキャリア指示シグナリング（例えばＭＡＣレイヤの制御要素により指示）を送信する。
ステップ５：基地局はＵＥ２へＲＲＣ接続再配置シグナリングを送信する。
ステップ６：ＵＥ１は基地局へコンポーネントキャリア指示シグナリング受信応答を送信する。
ステップ７：ＵＥ２は、基地局へＲＲＣ接続再配置応答を送信する。
ステップ８：基地局は例えば物理ダウンリンク制御チャネル（ＰＤＣＣＨ）によりＵＥ１とＵＥ２とに選択したキャリア中のリソースブロックを割り当てる。
ステップ９：ＵＥ１とＵＥ２とはＰｒｏＳｅダイレクト通信を行う。
【００３６】
なお、幾つかの場合に、上記ステップ４において、基地局によるＵＥ１のコンポーネントキャリア指示は必須ではない。例えば、現在のＰｒｏＳｅダイレクト通信において、近接サービスダイレクト・ディスカバリもあり、ＰＣ５インタフェース上のダイレクト無線信号により付近の他のＵＥを発見する。この発見の例において、ＵＥ２はディスカバリ信号を送信し、ＵＥ１は受信し発見するだけで、ＵＥ２へ情報を送信しないので、コンポーネントキャリアの配置を不要である。
【００３７】
以上で集約されたコンポーネントキャリアの一つを配置してＰｒｏＳｅダイレクト通信に使用する実施例を記述した。また、幾つかの実施例によれば、第２の確定ユニット１１３は、さらに、所定のキャリア集合から、第１のユーザ機器がＰｒｏＳｅダイレクト通信を実行するためのキャリアを確定するように配置されてもよい。
【００３８】
より具体的、第２の確定ユニット１１３は、第１のユーザ機器によって使用された集約されたコンポーネントキャリアの数が所定の数に到達しない場合に、キャリア集合からＰｒｏＳｅダイレクト通信に使用しようとするキャリアを選択する（新キャリアを添加する）ように配置されてもよく、キャリア集合は、第１のユーザ機器のサービング基地局がスケジューリングでき、且つ第１のユーザ機器、及び第１のユーザ機器とＰｒｏＳｅダイレクト通信を行おうとする第２のユーザ機器によって使用されない複数のキャリアを含んでもよい。
【００３９】
電子機器１００が基地局として作動する場合に、例えば以下の方式によりＰｒｏＳｅダイレクト通信に使用しようとするキャリアを選択してもよい：
通信を行おうとするユーザ機器の各組がＰｒｏＳｅダイレクト通信に使用可能なコンポーネントキャリアに対して、一つのコンポーネントキャリアをランダムに選択してＰｒｏＳｅダイレクト通信に使用し、
通信を行おうとするユーザ機器の各組がＰｒｏＳｅダイレクト通信に使用可能なコンポーネントキャリアに対して、キャリアの使用状況に応じて、ＰｒｏＳｅダイレクト通信に使用しようとするキャリアを選択し、例えば、キャリアの使用状況は、幾つかのユーザ機器がこのコンポーネントキャリアを使用していてセルラー通信を行うかのことを含んでもよく、
通信を行おうとするユーザ機器の各組がＰｒｏＳｅダイレクト通信に使用可能なコンポーネントキャリアに対して、当該組のユーザ機器が報告した、選択可能なコンポーネントキャリアに関する履歴測定チャネル品質、例えばＲＳＲＰに応じて、履歴測定チャネル品質が低いコンポーネントキャリアを選択してＰｒｏＳｅダイレクト通信に使用する。
【００４０】
次に、具体的実施例に基づいて、所定のキャリア集合から、ＰｒｏＳｅダイレクト通信のためのキャリアを確定する概略的方式を説明する。
【００４１】
一実施例によれば、第２の確定ユニット１１３は、さらにサービング基地局がサービングする第１のユーザ機器以外の他のユーザ機器による所定のキャリア集合におけるキャリアの使用状況に応じて、ＰｒｏＳｅダイレクト通信に使用しようとするキャリアを選択するように配置されている。
【００４２】
例えば、ＰｒｏＳｅダイレクト通信を行おうとするユーザ機器の組ごとに、一つの選択可能キャリアリストが対応されており、当該リストには、この組のユーザ機器がＰｒｏＳｅダイレクト通信を行うことが可能な全てのコンポーネントキャリアが含まれてもよく、これらのコンポーネントキャリアは例えば基地局が割り当てることが可能な、当該組がＰｒｏＳｅダイレクト通信を行おうとするユーザ機器によって使用されているコンポーネントキャリア以外の全てのコンポーネントキャリアが含まれてもよい
【００４３】
コンポーネントキャリアが使用された状況に応じてコンポーネントキャリアを選択する目的は、干渉ができるだけ小さいコンポーネントキャリアをＰｒｏＳｅダイレクト通信に使用することにある。
【００４４】
より具体的に、特定のキャリアの使用状況は以下の方面の一つ又は複数を含んでもよい：
現在に特定のキャリアを使用していてセルラー通信を行っているユーザ機器の数であり、例えば当該数が小さいキャリアを優先的に選択してＰｒｏＳｅダイレクト通信とセルラー通信との干渉を低減し、
現在に特定のキャリアを使用していてＰｒｏＳｅダイレクト通信を行っているユーザ機器の数であり、例えば、当該数が小さいキャリアを優先的に選択してＰｒｏＳｅダイレクト通信リンクの間の干渉を低減し。
特定のキャリアのカバー範囲であり、例えば、カバー範囲が小さいコンポーネントキャリア（即ち高い周波数を有するキャリア）を選択してもよく、
履歴で特定のキャリアが使用される頻度であり、例えば、使用された頻度が低いキャリアを選択してもよく、
履歴で特定のキャリアが使用された合計使用時間であり、例えば、使用された合計使用時間が最も小さいキャリアを選択する。
【００４５】
使用状況に応じてＰｒｏＳｅダイレクト通信のためのキャリアを選択することにより、ＰｒｏＳｅダイレクト通信のセルラー通信への影響の低減に有利である。
【００４６】
図１０に、基地局により所定のキャリア集合からＰｒｏＳｅダイレクト通信のためのキャリアを選択する場合におけるシグナリングフローチャートを示している。
ステップ１：ＵＥ２は基地局に対してＵＥ１とＰｒｏＳｅダイレクト通信を行うように要求する。
ステップ２：基地局はキャリアアグリゲーションの再配置方式を確定し、例えば、  ＵＥ１に新しいコンポーネントキャリアを添加したと確定した。
ステップ３：基地局は所定のキャリア集合からＰｒｏＳｅダイレクト通信のためのキャリアを選択する。
ステップ４：基地局はＵＥ１とＵＥ２へＲＲＣ接続再配置シグナリングを送信する。
ステップ５：ＵＥ１とＵＥ２とは基地局へＲＲＣ接続再配置応答を送信する。
ステップ６：基地局は例えばＰＤＣＣＨによりＵＥ１とＵＥ２とに選択したキャリア中のリソースブロックを割り当てる。
ステップ７：ＵＥ１とＵＥ２とはＰｒｏＳｅダイレクト通信を行う。
【００４７】
また、一実施例によれば、キャリア集合におけるキャリアに対して測定した参照信号受信電力（ＲＳＲＰ）に応じてＰｒｏＳｅダイレクト通信のためのキャリアを選択してもよい。
【００４８】
図２に、本実施例による無線通信のための電子機器の配置例を示している。図２に示すように、電力機器２００は一つ又は複数のプロセッサ２１０を含み、プロセッサ２１０は確定ユニット２１１と、アクセスユニット２１３と、選択ユニット２１５とを含む。なお、確定ユニット２１１は、図１を参照して説明した第１の確定ユニット１１１の配置と類似し、アクセスユニット２１３と選択ユニット２１５は、図１を参照して説明した第２の確定ユニット１１３に対応する。
【００４９】
アクセスユニット２１３は、キャリア集合における少なくとも一部のキャリアについての基準信号受信電力の測定結果にアクセスするように配置されている。
【００５０】
選択ユニット２１５は、測定結果に応じてＰｒｏＳｅダイレクト通信に使用しようとするキャリアを選択するように配置され、基準信号受信電力が低いキャリアを優先的に選択する。通常のキャリアを選択する方式と異なり、本発明の実施例によれば、測定値が低いキャリアを選択することができ、これは、測定するものがＵＥと基地局との間の当該キャリアでの無線リンク品質であり、選択の目的がＵＥとＵＥとの間のダイレクト通信のためであるので、測定値が低いキャリア周囲セルラーＵＥの相応する測定値も低く、セルラー通信に使用するキャリアとして選択される確率が低く、低い干渉でＵＥ間のダイレクト通信を行うのにより適用するためである。
【００５１】
なお、アクセスユニット２１３による測定結果のアクセスは、異なるキャリアについての基準信号受信電力の履歴測定結果にアクセスすることを含んでもよい。本実施例による電力機器２００が基地局として作動する場合に、例えば、自体に記憶された履歴データにアクセスすることで当該測定結果を取得してもよく、又はユーザ機器により相応するキャリアについての履歴測定結果を報告してもよい。電力機器２００がユーザ機器として作動する場合に、例えばそのサービング基地局に記憶されている履歴データにアクセスすることにより当該測定結果を取得してもよく、自体に記憶されている履歴測定結果にアクセスしてもよい。
【００５２】
一方、アクセスユニット２１３による測定結果のアクセスは、ユーザ機器による所定のキャリアのリアルタイム測定結果にアクセスすることを含んでもよい。例えば、電力機器２００が基地局として作動する場合に、それはＰｒｏＳｅダイレクト通信として使用する候補キャリアをユーザ機器に通知してもよく（以下図３を参照して説明する実施例のように）、言い換えれば、ユーザ機器に対して専門の測定配置を行い、ユーザ機器が候補キャリアに対してＲＳＲＰ測定を行った結果を取得する。電力機器２００がユーザ機器として作動する場合に、それによる候補キャリアの測定結果に応じてＰｒｏＳｅダイレクト通信のためのキャリアを選択してもよい。
【００５３】
また、幾つかの実施例によれば、全部の候補キャリアの測定結果に基づいてＰｒｏＳｅダイレクト通信のためのキャリアを選択することではなくてもよい。
【００５４】
例えば、一実施例によれば、選択ユニット２１３は、所定の時間内に候補キャリアの全てのキャリアの測定結果を取得しない場合に、既に測定結果を取得したキャリアからＰｒｏＳｅダイレクト通信に使用しようとするキャリアを選択するように配置されてもよい。
【００５５】
他の一実施例によれば、選択ユニット２１３は、条件に合致した例えば所定の閾値よりも低い検出結果を取得した場合に、相応するキャリアをＰｒｏＳｅダイレクト通信に使用しようとするキャリアとして選択するように配置されてもよい。
【００５６】
他の一実施例によれば、選択ユニット２１３は、所定の時間内に所定の閾値よりも連続的に低い検出結果を取得した場合に、相応するキャリアをＰｒｏＳｅダイレクト通信に使用しようとするキャリアとして選択するように配置されてもよい。
【００５７】
上記実施例により、候補キャリアの検出と選択の効率をさらに向上させるようになる。
【００５８】
次に、具体的例に基づいて上記実施例を説明し、これらの具体的例には、上記実施例の複数の方面が含まれる。本発明は以下の例の具体的な細部に限定しないと理解すべきである。
【００５９】
まず、基地局は、ＰｒｏＳｅダイレクト通信を行おうとするユーザ機器の組ごとに、選択可能なキャリアリストを生成し、当該リストには当該組ユーザ機器の全てのＰｒｏＳｅダイレクト通信に使用可能なキャリアが含まれてもよい。上記のように、基地局は、それぞれのキャリアの使用状況に応じて使用可能なキャリアをソーティングしてもよい。例えば、ＵＥ１とＵＥ２とからなるＰｒｏＳｅダイレクト通信ユーザペアに対して、
【表３】
2018520611.tif 000005
ＣＣ５、ＣＣ６…は少しずつ増加していく。
【００６０】
ユーザ機器の測定過程が長すぎるによるより多い遅れを回避するために、タイマーが設置されてもよい。
タイマーの時間がオーバーフローすると、ユーザ機器は測定を停止し、既に完成した測定の結果を報告する。
【００６１】
基地局は例えばＲＲＣＣｏｎｎｅｃｔｉｏｎＲｅｃｏｎｆｉｇｕｒａｔｉｏｎシグナリングにより選択可能なキャリアリストをユーザ機器に送信してもよい。
【００６２】
ユーザ機器は選択可能なキャリアリストを受信した後に、順に各キャリアのＲＳＲＰの測定を開始する。例えば、タイマーの時間範囲内でＣＣ５−ＣＣｎのＲＳＲＰを測定して得て、表４に示すようである。
【表４】
2018520611.tif 000006
【００６３】
測定が完成した後に、ユーザ機器は、直接に測定結果を基地局に報告し、基地局によりＰｒｏＳｅダイレクト通信のためのキャリアを選択してもよい。または、ユーザ機器は、結果に応じて、ＰｒｏＳｅダイレクト通信のためのキャリア、例えばＣＣ６を自動に選択し、選択結果を基地局に報告してもよい。
【００６４】
ｅＮＢはＵＥ２の情報を受信した後に、ＲＲＣ  Ｃｏｎｎｅｃｔｉｏｎ  ｒｅｃｏｎｆｉｇｕｒａｔｉｏｎによりＣＣ６をＵＥ１とＵＥ２とに配置してＰｒｏＳｅダイレクト通信のためのキャリアとする。
【００６５】
また、選択可能なキャリアリストに多いキャリアが含まれていると、ＵＥの測定過程の時間とエネルギー消費は大きくなる可能性ある。従って、以下の測定イベントを定義してもよい、即ち、測定するキャリアのＲＳＲＰはある閾値よりも低く、当該閾値は予め定義されてもよい。
【００６６】
ＵＥは、選択可能なキャリアリストにおけるキャリアの優先度の高低に応じて、キャリアを順に測定してもよい。そして以下の条件を定義することができる：
イベント進入条件：Ｍｒ＜閾値Ｔｈ
イベント退出条件：Ｍｒ＞閾値Ｔｈ
その中、Ｍｒは、現在のキャリアのＲＳＲＰ測定結果である。
【００６７】
イベントに進入した後、ＵＥは、現在のキャリアに一つのトリガー時間を設置し、当該トリガー時間内で、現在のキャリアのＲＳＲＰを継続して測定してもよい。
【００６８】
ＵＥは現在のキャリアを継続して測定する場合に、ＵＥも、他のＣＣに対する測定を保持する。
【００６９】
トリガー時間内で、現在のキャリアは常に予定の要求を満たすと、ＵＥは測定を停止し現在のキャリアがＰｒｏＳｅダイレクト通信のためのキャリアであることを報告する。
【００７０】
トリガー時間内で、常に要求を満たさないと、イベントは退出する。
【００７１】
次に、図１１を参照してユーザ機器により測定しキャリアを選択する概略的な手順を説明する。
ステップ１：ＵＥ２は基地局に対してＵＥ１とＰｒｏＳｅダイレクト通信を行うように要求する。
ステップ２：基地局はキャリアアグリゲーションの再配置方式を確定し、例えば、ＵＥ１に新しいコンポーネントキャリアを添加する。
ステップ３：基地局は選択可能なキャリアリストを生成する。
ステップ４：基地局はＵＥ１へ選択可能なキャリアリストを送信する。
ステップ５：ＵＥ１は、選択可能なキャリアリストにおけるキャリアに対してＲＳＲＰを測定し、ＰｒｏＳｅダイレクト通信のためのキャリアを選択する。
ステップ６：ＵＥ１は選択したキャリア情報を基地局に送信する。
ステップ７：基地局はＵＥ１とＵＥ２へＲＲＣ接続再配置シグナリングを送信する。
ステップ８：ＵＥ１とＵＥ２とは基地局へＲＲＣ接続再配置応答を送信する。
ステップ９：基地局は、例えばＰＤＣＣＨによりＵＥ１とＵＥ２に選択したキャリア中のリソースブロックを割り当てる。
ステップ１０：ＵＥ１とＵＥ２とはＰｒｏＳｅダイレクト通信を行う。
【００７２】
次に、図３を参照して、本発明の他の一実施例による無線通信のための電子機器の配置例を説明する。
【００７３】
図３に示すように、電力機器３００は一つ又は複数のプロセッサ３１０を含み、プロセッサ３１０は、第１の確定ユニット３１１と、第２の確定ユニット３１３と、生成ユニット３１５とを含む。第１の確定ユニット３１１と第２の確定ユニット３１３との配置について、以上で図１を参照して説明した第１の確定ユニット１１１と第２の確定ユニット１１３とに類似してもよい。または、第２の確定ユニット３１３は、以上で図２を参照して説明したアクセスユニット２１３と選択ユニット２１５に対応してもよい。
【００７４】
生成ユニット３１５は、キャリア集合におけるＰｒｏＳｅダイレクト通信として使用する候補キャリアについてのキャリアの指示情報を生成するように配置されている。例えば、ＲＲＣＣｏｎｎｅｃｔｉｏｎＲｅｃｏｎｆｉｇｕｒａｔｉｏｎメッセージ中のｓｌ−ＣｏｍｍＣｏｎｆｉｇは、指定または候補のキャリア指示を含んでもよい。
【００７５】
また、候補キャリアについての指示情報は、候補キャリアの優先順位に関する情報を含んでもよい。例えば、候補キャリアリストにおける候補キャリアのソートは、候補キャリアの優先度に対応してもよい、または候補キャリアの指示情報は、相応する候補キャリアの優先度を示す情報を含んでもよい。
【００７６】
また、図３に示すように、一実施例によれば、電力機器３００は送受信装置３２０をさらに含んでもよい。電力機器３００が基地局として作動する場合に、送受信装置３２０は、候補キャリアについての指示情報を少なくともＰｒｏＳｅダイレクト通信を行おうとするユーザ機器に送信するように配置されてもよい。
【００７７】
より具体的に、送受信装置３２０は、ＲＲＣシグナリングにより候補キャリアについての指示情報を送信するように配置されてもよい。
【００７８】
以上で所定のキャリア集合からＰｒｏＳｅダイレクト通信のためのキャリアを確定する実施例を記述した。また、一実施例によれば、当該キャリア集合はＰｒｏＳｅダイレクト通信専用の１組の固定のキャリアを含んでもよい。つまり、ＰｒｏＳｅダイレクト通信に専門のキャリアレベルのリソースプールを設置してもよい。当該集合における各キャリアについて、対応する独特のリソース配置、例えば、当該キャリアでセカンダリリンク伝送を制御するサイクリックプレフィクス長さ、セカンダリリンクの伝送を制御する周期、セカンダリリンクの伝送を制御する具体的時間周波数リソースブロック配置、セカンダリリンクデータのサイクリックプレフィクス長さ、セカンダリリンクのデータ周波数ホッピング配置、ユーザによって選択されたリソース配置  （セカンダリリンクのデータ時間周波数リソース配置）などがあってもよい。
【００７９】
次に、具体的例に基づいて、当該専用キャリア集合を設置する概略的方式を説明する。
【００８０】
一つの専用のキャリア集合設置方式によれば、キャリア集合におけるキャリアをキャリアアグリゲーションに使用する場合におけるＰｒｏＳｅダイレクト通信については、静的キャリア集合と動的キャリア集合との二種類の設置方式に分けることも可能である。
【００８１】
静的キャリア集合におけるキャリアが固定で不変であり、且つ、一般に、狭帯域キャリアであり、それはＰｒｏＳｅダイレクト通信にみに使用し、セルラー通信に使用できないように配置され、動的キャリア集合におけるキャリアは、更新を行うことができるが、数が固定であるように設置されてもよく、同時にＰｒｏＳｅダイレクト通信とセルラー通信とに使用されることが可能である。
【００８２】
当該キャリア集合の概略的な構造は表５に示すようである。
【表５】
2018520611.tif 000007
なお、キャリア集合タイプ０は静的を示し、１は動的を示す。
キャリアＩＤ  はキャリア集合における番号である。
キャリア例えば表におけるＣＣ１、ＣＣ３などはキャリア集合における各キャリアの周波数範囲を示す。
【００８３】
動的キャリア集合におけるキャリアは優先度に応じてソートを行ってもよく、例えば多重化された回数が少ないほどキャリア順位の優先度が高くなる。
【００８４】
静的キャリア集合は例えばＳＩＢにおいてブロードキャストされてもよく、動的キャリア集合は例えばＲＲＣシグナリングにより配置されてもよい。
【００８５】
次に、静的キャリア集合の例をより具体的に説明する。基地局は、Ｍ個の固定のキャリア（Ｍは実際の状況によって自分で配置する）を事前に確保し、その中のキャリアはＰｒｏＳｅダイレクト通信のみに使用される。
【００８６】
例えば、Ｍ＝３であり、事前に確保するリソースはＣＣ１、ＣＣ２、ＣＣ３であるとすると、静的キャリア集合は例えば表６に示すようである。
【００８７】
【表６】
2018520611.tif 000008
オペレーターにとって、キャリアＩＤとキャリアとは不変な対応関係をそのまま保持すると、上表において、キャリアの欄を除去してもよい。相応するように、静的キャリア集合のブロードキャスト情報について、キャリアＩＤのみをブロードキャストしてもよく、これにより、情報をブロードキャストする負荷を低減させることができる。
【００８８】
また、ユーザ機器に対して静的ＰｒｏＳｅダイレクト通信キャリア集合を初期配置する際に、複数組の異なる静的キャリア集合を配置してもよく、ユーザ機器は自己でどの静的キャリア集合を選択して使用することが可能である。
【００８９】
また、一実施例によれば、セカンダリセル（ＳＣｅｌｌ）のカバー範囲に応じてＰｒｏＳｅダイレクト通信専用のキャリア集合を設置してもよい。当該キャリア集合は、ＰｒｏＳｅダイレクト通信専用の複数組の固定のキャリアを含んでもよく、その中、各組のキャリアは特定の範囲内のＰｒｏＳｅダイレクト通信のために用いられる。
【００９０】
３ＧＰＰ  ＴＳ３６．３００によって、Ｓｃｅｌｌのカバー範囲は異なることがある。Ｓｃｅｌｌの一定のカバー範囲に基づいて静的ＰｒｏＳｅダイレクト通信キャリア集合を設置し、それぞれのカバー範囲で一つの相応する静的キャリア集合を配置し、それぞれの静的キャリア集合は、静的キャリア集合を初期配置する一つのサブ集合としてもよい。
【００９１】
このカバー地区のＳｃｅｌｌに対応するＰｒｏＳｅダイレクト通信キャリア集合は、それと重ならない各ＳｃｅｌｌにおけるＣＣを含むべきである。
【００９２】
図１３に示す場合を例として説明する。図１３に示すように、ＣＣ１は完全カバーであり、ＣＣ２、ＣＣ  ３、ＣＣ  ４は異なるカバー範囲がある。ＵＥ１とＵＥ２とはＣＣ２のカバー範囲にあり、ＵＥ３はＣＣ３のカバー範囲にあり、ＵＥ４はＣＣ４のカバー範囲にある。この場合、カバー範囲に応じて以下のように複数のキャリア集合を設置することが可能である：
ＣＣ  ２カバー範囲内で、対応する静的キャリア集合におけるキャリアはＣＣ  ３、ＣＣ  ４である。
ＣＣ  ３カバー範囲内で、対応する静的キャリア集合におけるキャリアはＣＣ  ２、ＣＣ  ４であり、
ＣＣ  ４カバー範囲内で、対応する静的キャリア集合におけるキャリアはＣＣ  ２、ＣＣ  ３である。
対応するように、基地局は全てのＵＥへＳＩＢにより送信した静的キャリア集合情報は以下の表７に示すようである。
【表７】
2018520611.tif 000009
ＵＥは、サブ集合の形のサブ集合ｐｏｏｌ情報を受信した後に、まずどのキャリア集合を選択するかを考慮し、次に当該キャリア集合におけるどちらのキャリアを選択する。
【００９３】
例えば、ＵＥはキャリア集合を選択する概略的な方式については、既存のキャリア集合から一つのキャリア集合をランダムに選択し、当該集合におけるキャリアと、自分がセルラー通信のために使用しているキャリアとを比較し、同じキャリアがないと、当該キャリア集合を優先的に使用し、同じキャリアがあると、同じキャリアが含まれている一つ又は複数のキャリア集合から一つのキャリア集合をランダムに選択する。
【００９４】
ＵＥはキャリア集合からキャリアを選択する概略的な方式はランダムに選択することを含んでもよく、またはＵＥは、それぞれのキャリアの中心周波数を検出し、受信信号強度が最も小さい一つを選択してもよい。
【００９５】
上記の配置により、ＰｒｏＳｅダイレクト通信のセルラー通信への干渉をさらに低減させるようになる。
【００９６】
次に、動的キャリア集合の概略的な配置方式を説明する。
【００９７】
基地局はＵＥに動的キャリア集合を配置する前に、基地局は、現在に事前に確保するキャリアの多重化状況に応じて、Ｍ個の最も少なく多重化されたキャリアからなるキャリア集合を選択してもよく、その中のキャリアは、同時にセルラー通信とＰｒｏＳｅダイレクト通信とに使用されることが可能である。
【００９８】
例えば、Ｍ＝３であり、多重化された回数が最も少ない三つのＣＣはＣＣ５、ＣＣ６、ＣＣ７であるとすると、動的キャリア集合は以下の表８に示すようである。
【００９９】
【表８】
2018520611.tif 000010
【０１００】
次に、図１２を参照してキャリア集合を利用した手順例を説明する。
ステップ１：基地局は、例えばＳＩＢにより静的キャリア集合をブロードキャストし、ＵＥはキャリア集合情報が記憶されてもよい；
ステップ２：ユーザ機器はＰｒｏＳｅダイレクト通信を行うように要求する。
ステップ３：基地局はユーザ機器へキャリア集合タイプ情報を送信して、ユーザ機器に対してどのキャリア集合を採用するかを指示し、この指示情報は例えば１ビットである。
キャリア集合タイプが動的キャリア集合であると、手順４を実行し、基地局はユーザ機器へ動的キャリア集合構造を通知する。
キャリア集合タイプが静的キャリア集合であると、ステップ４をスキップして直接にステップ５へ移行し、ユーザ機器によりＰｒｏＳｅダイレクト通信のためのキャリアを選択する。
ステップ６：ユーザ機器は基地局へ選択したキャリアを通知する。
ステップ７：基地局はＵＥ１とＵＥ２とにＲＲＣ接続再配置シグナリングを送信する。
ステップ８：ＵＥ１とＵＥ２とは基地局へＲＲＣ接続再配置応答を送信する。
ステップ９：基地局は例えばＰＤＣＣＨによりＵＥ１とＵＥ２とに選択したキャリア中のリソースブロックを割り当てる。
ステップ１０：ＵＥ１とＵＥ２とはＰｒｏＳｅダイレクト通信を行う。
【０１０１】
上記のように、本発明の一実施例による、無線通信のための電子機器は基地局として作動してもよい。次に、図４を参照して当該実施例による電力機器の配置例を説明する。
【０１０２】
図４に示すように、本実施例による電力機器４００は、一つ又は複数のプロセッサ４１０及び送受信装置４２０を含む。プロセッサ４１０は第１の確定ユニット４１１と第２の確定ユニット４１３とを含み、以上で説明された第１の確定ユニットと第２の確定ユニットとの配置とそれぞれ類似する。
【０１０３】
送受信装置４２０は、キャリア集合についての指示情報を送信するように配置されている。キャリア集合は、以上で具体的実施例を参照して説明した、ＰｒｏＳｅダイレクト通信専用キャリア集合、例えば静的キャリア集合または動的キャリア集合を含んでもよい。送受信装置４２０は、当該指示情報をブロードキャストするように配置されてもよく、ＲＲＣシグナリングにおいて当該指示情報を送信してもよい。
【０１０４】
より具体的に、送受信装置４２０は例えば、システム情報ブロックにより当該キャリア集合の指示情報をブロードキャストするように配置されてもよい。例えば、ブロードキャスト制御チャネル  （ＢＣＣＨ）で発信可能なＳｙｓｔｅｍＩｎｆｏｒｍａｔｉｏｎＢｌｏｃｋＴｙｐｅ１８である。
【０１０５】
上記のように、本発明の幾つかの実施例による無線通信のための電子機器はユーザ機器として作動してもよい。次に、図５乃至図７を参照してこれらの実施例による電力機器の配置例を説明する。
【０１０６】
図５に示すように、他の一実施例による、無線通信のための電子機器５００は一つ又は複数のプロセッサ５１０及び送受信装置５２０を含む。プロセッサ５１０は第１の確定ユニット５１１と第２の確定ユニット５１３とを含み、以上で説明された第１の確定ユニットと第２の確定ユニットとの配置とそれぞれ類似する。
【０１０７】
送受信装置５２０は、基地局からの、ＰｒｏＳｅダイレクト通信として使用する候補キャリアについての指示情報を受信するように配置されている。
【０１０８】
図６に示すように、他の一実施例による、無線通信のための電子機器６００は一つ又は複数のプロセッサ６１０及び送受信装置６２０を含む。プロセッサ６１０は第１の確定ユニット６１１と、第２の確定ユニット６１３と制御ユニット６１５とを含む。第１の確定ユニット６１１は、以上で説明した第１の確定ユニットの配置と類似する。送受信装置６２０は、以上で図５を参照して説明した送受信装置５２０の配置と類似する。
【０１０９】
制御ユニット６１５は、候補キャリアの基準信号受信電力の測定を制御するように配置されている。
【０１１０】
第２の確定ユニット６１３は、基準信号受信電力の測定結果に基づいてＰｒｏＳｅダイレクト通信に使用しようとするキャリアを選択するように配置され、基準信号受信電力が低いキャリアを優先的に選択する。
【０１１１】
また、一実施例によれば、第２の確定ユニット６１３は、所定の時間内に候補キャリア中のキャリアの測定結果を取得しない場合に、既に測定結果を取得したキャリアからＰｒｏＳｅダイレクト通信に使用しようとするキャリアを選択するように配置されている。
【０１１２】
他の一実施例によれば、第２の確定ユニット６１３は、条件に合致し、例えば所定の閾値よりも低い検出結果を取得した場合に、相応するキャリアをＰｒｏＳｅダイレクト通信に使用しようとするキャリアとして選択するように配置されている。
【０１１３】
他の一実施例によれば、第２の確定ユニット６１３は、所定の時間内に所定の閾値よりも連続的に低い検出結果を取得した場合に、相応するキャリアをＰｒｏＳｅダイレクト通信に使用しようとするキャリアとして選択するように配置されている
【０１１４】
図７に示すように、他の一実施例による、無線通信のための電子機器７００は一つ又は複数のプロセッサ７１０及び送受信装置７２０を含む。プロセッサ７１０は第１の確定ユニット７１１と、第２の確定ユニット７１３と、制御ユニット７１５と、生成ユニット７１７とを含む。第１の確定ユニット７１１は以上で説明した第１の確定ユニットの配置と類似する。
【０１１５】
制御ユニット７１５は、候補キャリアについての基準信号受信電力の測定を制御するように配置されている。
【０１１６】
生成ユニット７１７は、候補キャリアについての基準信号受信電力の測定結果の指示情報を生成するように配置されている。
【０１１７】
送受信装置７２０は、以上で図５を参照して説明した送受信装置５２０の配置と類似し、また、送受信装置７２０は、さらに、測定結果の指示情報を送信するように配置されている。
【０１１８】
以上で本発明実施例の装置の説明過程で、明らかに幾つかの処理と方法も開示され、次に、以上で記述された具体的細部を重複しない場合に、本発明の実施例による、無線通信方法の説明を提供する。
【０１１９】
図８に示すように、本発明の実施例による、無線通信方法は、第１のユーザ機器のＰｒｏＳｅダイレクト通信の需要に応答して当該第１のユーザ機器の現在のキャリアアグリゲーション状態を確定するステップＳ８１０を含む。また、当該方法は、第１のユーザ機器のキャリアアグリゲーション状態に基づいて当該第１のユーザ機器の無線リソース配置を確定するステップＳ８２０をさらに含み、なお、無線リソース配置は当該第１のユーザ機器のＰｒｏＳｅダイレクト通信のために用いられる。
【０１２０】
以上の記述を参照して、本実施例による無線通信方法の各ステップは基地局により実行されてもよく、ユーザ機器により実行されてもよく、又はそれぞれ基地局とユーザ機器とにより実行されてもよい。
【０１２１】
図１８に、本発明の一実施例による、無線通信のための装置の配置例を示している。図１８に示すように、本実施例による装置１８００は、第１の確定ユニット１８１０と第２の確定ユニット１８２０を含む。第１の確定ユニット１８１０は、第１のユーザ機器のＰｒｏＳｅダイレクト通信の需要に応答して、当該第１のユーザ機器の現在のキャリアアグリゲーション状態を確定するように配置されている。第２の確定ユニット１８２０は、第１のユーザ機器のキャリアアグリゲーション状態に基づいて、当該第１のユーザ機器の無線リソース配置を確定するように配置され、無線リソース配置は当該第１のユーザ機器のＰｒｏＳｅダイレクト通信のために用いられる。装置１８００は基地局とユーザ機器として実現されてもよい。
【０１２２】
例として、上記方法の各ステップ及び上記装置の各組立モジュール及び／又はユニットはソフトウェア、ファームウェア、ハードウェア又はその組み合わせとして実施してもよい。ソフトウェア或いはファームウエアで実現する場合、記憶媒体或いはネットワークから専用ハードウェア構造を有するコンピュータ（例えば図１５に示す汎用パーソナルコンピューター１５００）に上記方法を実施するためのソフトウェアを構成するプログラムをインストールし、当該コンピュータは各種のプログラムがインストールされた場合、各種の機能等を実行できる。
【０１２３】
図１５において、演算処理ユニット（ＣＰＵ）１５０１は、読取専用メモリ（ＲＯＭ）１５０２に記憶されているプログラム或いは記憶部１５０８からランダムアクセスメモリ（ＲＡＭ）１５０３にロードしたプログラムに基づいて各種の処理を実行する。ＲＡＭ１５０３にも、必要に応じてＣＰＵ１５０１が各種の処理等を実行する際に必要なデータが記憶される。ＣＰＵ１５０１、ＲＯＭ１５０２、ＲＡＭ１５０３はバス１５０４を介して互いにリンクされている。入力／出力インターフェース１５０５もバス１５０４にリンクされている。
【０１２４】
入力部１５０６（キーボード、マウス等を含む）、出力部１５０７（ディスプレイ、例えば陰極線管（ＣＲＴ）、液晶ディスプレイ（ＬＣＤ）等、スピーカ等を含む）、記憶部１５０８（ハードディスク等を含む）、通信部１５０９（ネットワークインターフェースカード例えばＬＡＮカード、モデム等を含む）は入力／出力インターフェース１５０５に接続される。通信部１５０９は、ネットワーク、例えばインターネットを介して通信処理を実行する。必要に応じて、ドライバー１５１０も入力／出力インターフェース１５０５に接続され得る。リムーバブルメディア１５１１、例えばディスク、光ディスク、光磁気ディスク、半導体メモリ等は、必要に応じてドライバー１５１０に装着され、その中から読み出したコンピュータプログラムが必要に応じて記憶部１５０８にインストールされるようにする。
【０１２５】
ソフトウェアで上記一連の処理を実現する場合、ネットワーク、例えばインターネット或いは記憶装置、例えばリムーバブルメディア１５１１からソフトウェアを構成するプログラムをインストールする。
【０１２６】
当業者であれば、この種の記憶媒体は、図１５に示す、その中にプログラムが記憶され、装置に別途配分してユーザにプログラムを提供するリムーバブルメディア１５１１に限定されないことが理解される。リムーバブルメディア１５１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１５０２、記憶部１５０８に含まれるハードディスク等であってもよく、その中にプログラムが記憶され、且つこれらを含む装置とともにユーザに配分される。
【０１２７】
本発明の実施例は、さらに、機器が読み取り可能なプログラム指令コードを記憶しているプログラム製品に関する。前記指令コードは機器に読み取られて実行される場合に、上記本発明の実施例による方法を実行できる。
【０１２８】
相応的に、上記した機器が読み取り可能な指令コードが記憶されているプログラム製品を搭載するための記憶媒体も本発明の開示に含まれる。上記記憶媒体はフロッピーディスク、光ディスク、光磁気ディスク、メモリカード、メモリースティック等が含まれるが、これに限られない。
【０１２９】
本出願の実施例はさらに、以下の電子機器に関する。電子機器を基地局側に応用する場合に、電子機器は、任意のタイプの進化型ノードＢ（ｅＮＢ）、例えばマクロｅＮＢとスモールｅＮＢとして実現してもよい。スモールｅＮＢはマクロセルよりも小さいセルをカバーするｅＮＢ、例えばピコファラドｅＮＢ、マイクロｅＮＢ、ホーム（フェムト）ｅＮＢであってもよい。その代わりに、電子機器は、任意の他のタイプの基地局、例えばＮｏｄｅＢとベーストランシーバ基地局（ＢＴＳ）として実現されてもよい。電子機器は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより基地局として作動する。
【０１３０】
電子機器をユーザ機器側に応用する場合に、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーション装置）として実現されてもよい。また、電子機器は、上記端末における端末ごとに取り付けられた無線通信モジュール（例えば単一又は複数のチップを含む集成回路モジュール）であってもよい。
【０１３１】
［端末装置の応用例について］
図１６は本開示の内容の技術を応用できるスマートフォン２５００の例示的構成を示すブロック図である。スマートフォン２５００は、プロセッサー２５０１、メモリ２５０２、記憶装置２５０３、外部接続インタフェース２５０４、撮像装置２５０６、センサ２５０７、マイクロホン２５０８、入力装置２５０９、表示装置２５１０、スピーカー２５１１、無線通信インタフェース２５１２、一つ又は複数のアンテナスイッチ２５１５、一つ又は複数のアンテナ２５１６、バス２５１７、バッテリ２５１８及び補助コントローラ２５１９を含む。
【０１３２】
プロセッサー２５０１は例えばＣＰＵ又はＳｏＣであってもよく、スマートフォン２５００のアプリケーション層とその他の層の機能を制御する。メモリ２５０２はＲＡＭとＲＯＭを含み、データと、プロセッサ２５０１により実行されるプログラムを記憶する。記憶装置２５０３は記憶媒体、例えば半導体メモリとハードディスクを含んでもよい。外部接続インタフェース２５０４は、外部装置（メモリカードとユニバーサル・シリアル・バス（ＵＳＢ））をスマートフォン２５００に接続するためのインタフェースである。
【０１３３】
撮像装置２５０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ２５０７は例えば、測定センサ、ジャイロセンサ、地磁気センサ及び加速度センサなどのセンサ群を含んでもよい。マイクロフォン２５０８はスマートフォン２５００に入力される音声を音声信号に変換する。入力装置２５０９は例えば表示装置２５１０のスクリーン上のタッチを検出するように配置されるタッチセンサ、キーパッド、キーボード、ボタン又はスイッチを含み、ユーザから入力される操作又は情報を受信する。表示装置２５１０はスクリーン（例えば液晶ディスプレイ（ＬＣＤ）、有機発光ダイオード（ＯＬＥＤ）ディスプレイ）を含み、スマートフォン２５００の出力画像を表示する。スピーカ２５１１はスマートフォン２５００から出力される音声信号を音声に変換する。
【０１３４】
無線通信インタフェース２５１２は任意のセルラー通信方式（例えばＬＴＥ、ＬＴＥ−Ａｄｖａｎｃｅｄ）をサポートし、無線通信を実行する。無線通信インタフェース２５１２は、一般に、例えばＢＢプロセッサ２５１３とＲＦ回路２５１４とを含んでもよい。ＢＢプロセッサ２５１３は例えば符号化／復号化、変調／復調及び多重化／逆多重化を実行してもよく、無線通信のための様々な信号処理を実行する。一方、ＲＦ回路２５１４は例えばミキサ、フィルタ及びアンプを含んでもよく、アンテナ２５１６を介して無線信号を送受信する。無線通信インタフェース２５１２はＢＢプロセッサ２５１３とＲＦ回路２５１４を集積した一つのチップモジュールであってもよい。図１６に示すように、無線通信インタフェース２５１２は複数のＢＢプロセッサ２５１３と複数のＲＦ回路２５１４を含んでもよい。図１６は無線通信インタフェース２５１２が複数のＢＢプロセッサ２５１３と複数のＲＦ回路２５１４を含む例を示したが、無線通信インタフェース２５１２は単一のＢＢプロセッサ２５１３又は単一のＲＦ回路２５１４を含んでもよい。
【０１３５】
また、セルラー通信方式を除き、無線通信インタフェース２５１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよく。この場合、無線通信インタフェース２５１２は無線通信方式ごとのＢＢプロセッサ２５１３とＲＦ回路２５１４を含んでもよい。
【０１３６】
アンテナスイッチ２５１５の各々は、無線通信インタフェース２５１２に含まれる複数の回路（例えば、異なる無線通信方式のための回路）の間にアンテナ２５１６の接続先を切り替える。
【０１３７】
アンテナ２５１６の各々は単一の又は複数のアンテナ素子（例えば、ＭＩＭＯアンテナに含まれる複数のアンテナ素子）を含み、無線通信インタフェース２５１２による無線信号の送受信のために用いられる。図１６に示すように、スマートフォン２５００は複数のアンテナ２５１６を含んでもよい。図１６はスマートフォン２５００が複数のアンテナ２５１６を含む例を示したが、スマートフォン２５００は単一のアンテナ２５１６を含んでもよい。
【０１３８】
また、スマートフォン２５００は無線通信方式ごとにアンテナ２５１６を含んでもよい。この場合、アンテナスイッチ２５１５はスマートフォン２５００の構成から省略されてもよい。
【０１３９】
バス２５１７は、プロセッサ２５０１、メモリ２５０２、記憶装置２５０３、外部接続インタフェース２５０４、撮像装置２５０６、センサ２５０７、マイクロフォン２５０８、入力装置２５０９、表示装置２５１０、スピーカ２５１１、無線通信インタフェース２５１２及び補助コントローラ２５１９を互いに接続する。バッテリー２５１８は図中に破線で部分的に示した支線を介して図１６に示すスマートフォン２５００の各ブロックに電力を供給する。補助コントローラ２５１９は例えば、スリープモードにおいて、スマートフォン２５００の必要最低限の機能を動作させる。
【０１４０】
図１６にスマートフォン２５００において、図３乃至図７を使用して記述された送受信装置は、無線通信インタフェース２５１２により実現されてもよい。図１乃至図７を参照して記述されたそれぞれのユニットの機能の少なくとも一部は、プロセッサ２５０１又は補助コントローラ２５１９により実現されてもよい。例えば、補助コントローラ２５１９がプロセッサ２５０１の一部の機能を実行することでバッテリ２５１８の電力消費を低減させることができる。また、プロセッサ２５０１又は補助コントローラ２５１９は、メモリ２５０２あるいは記憶装置２５０３に記憶されているプログラムを実行することで、図１乃至図７を参照して記述されたそれぞれのユニットの機能の少なくとも一部を実行することができる。
【０１４１】
［基地局の応用例について］
図１７は、本開示の技術を応用できるｅＮＢの例示的配置の例を示すブロック図である。ｅＮＢ２３００は、一つ又は複数のアンテナ２３１０及び基地局デバイし２３２０を含む。基地局デバイス２３２０と各アンテナ２３１０はＲＦケーブルを介して互いに接続されてもよい。
【０１４２】
アンテナ２３１０の各々は、単一の又は複数のアンテナ素子（例えば、多入力多出力（ＭＩＭＯ）アンテナに含まれる複数のアンテナ素子）を含み、基地局装置２３２０による無線信号の送受信のために用いられる。ｅＮＢ２３００は、図１７に示したように複数のアンテナ２３１０を含み、複数のアンテナ２３１０は、例えばｅＮＢ２３００が使用する複数の周波数帯域に共用してもよい。なお、図１７にはｅＮＢ２３００が複数のアンテナ２３１０を含む例を示したが、ｅＮＢ２３００は単一のアンテナ２３１０を含んでもよい。
【０１４３】
基地局デバイス２３２０は、コントローラ２３２１、メモリ２３２２、ネットワークインタフェース２３２３、及び無線通信インタフェース２３２５を含む。
【０１４４】
コントローラ２３２１は、例えばＣＰＵ又はＤＳＰであってもよく、基地局デバイス２３２０の上位レイヤの様々な機能を操作する。例えば、コントローラ２３２１は、無線通信インタフェース２３２５により処理された信号内のデータからデータパケットを生成し、生成したパケットをネットワークインタフェース２３２３を介して転送する。コントローラ２３２１は、複数のベースバンドプロセッサからのデータをバンドリングすることによりバンドルドパケットを生成し、生成したバンドルドパケットを転送してもよい。また、コントローラ２３２１は、無線リソース制御、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ２３２２は、ＲＡＭ及びＲＯＭを含み、コントローラ２３２１により実行されるプログラム、及び様々な制御データ（例えば、端末リスト、伝送電力データ及びスケジューリングデータなど）を記憶する。
【０１４５】
ネットワークインタフェース２３２３は基地局デバイス２３２０をコアネットワーク２３２４に接続するための通信インタフェースである。コントローラ２３２１はネットワークインタフェース２３２３を介してコアネットワークノード又は他のｅＮＢと通信してもよい。この場合、ｅＮＢ２３００とコアネットワークノード又は他のｅＮＢとはロジックインタフェース（例えばＳ１インタフェースとＸ２インタフェース）により互いに接続される。ネットワークインタフェース２３２３は有線通信インタフェース、又は無線バックホールのための無線通信インタフェースであってもよい。ネットワークインタフェース２３２３が無線通信インタフェースであると、ネットワークインタフェース２３２３は無線通信インタフェース２３２５により使用される周波数帯域よりも高い周波数帯域を無線通信に使用してもよい。
【０１４６】
無線通信インタフェース２３２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ２３１０を介して、ｅＮＢ２３００のセル内に位置する端末までの無線接続を提供する。無線通信インタフェース２３２５は、一般、ベースバンド（ＢＢ）プロセッサ２３２６及びＲＦ回路２３２７を含んでもよい。ＢＢプロセッサ２３２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行してもよい。コントローラ２３２１の代わりに、ＢＢプロセッサ２３２６は上記ロジック機能の一部又は全部を有し得る。ＢＢプロセッサ２３２６は通信制御プログラムを記憶するメモリであってもよく、又はプログラムを実行するように配置されるプロセッサ及び関連する回路を含むモジュールであってもよい。ＢＢプロセッサ２３２６の機能はプログラムの更新により変更可能であってもよい。当該モジュールは基地局デバイス２３２０のスロットに挿入されるカード若しくはブレードであってもよい。代わりに、当該モジュールはカード若しくはブレードに搭載されるチップであってもよい。一方、ＲＦ回路２３２７は例えばミキサ、フィルタ及びアンプを含んでもよく、アンテナ２３１０を介して無線信号を送受信する。
【０１４７】
図１７に示すように、無線通信インタフェース２３２５は複数のＢＢプロセッサ２３２６を含んでもよい。例えば、複数のＢＢプロセッサ２３２６はｅＮＢ  ２３００が使用する複数の周波数帯域に共用されてもよい。図１７に示すように、無線通信インタフェース２３２５は複数のＲＦ回路２３２７を含んでもよい。例えば、複数のＲＦ回路２３２７は複数のアンテナ素子に共用されてもよい。図１７は無線通信インタフェース２３２５に複数のＢＢプロセッサ２３２６と複数のＲＦ回路２３２７とを含む例を示したが、無線通信インタフェース２３２５は単一のＢＢプロセッサ２３２６又は単一のＲＦ回路２３２７を含んでもよい。
【０１４８】
図１７に示すｅＮＢ  ２３００において、図３と図４を使用して記述された送受信装置は、無線通信インタフェース２３２５により実現されてもよい。図１乃至図４を参照して記述されたそれぞれのユニットの機能の少なくとも一部はコントローラ２３２１により実現されてもよい。例えば、コントローラ２３２１は、メモリ２３２２に記憶されているプログラムを実行することで図１乃至図１４を参照して記述されたそれぞれのユニットの機能の少なくとも一部を実行することができる。
【０１４９】
以上で、本発明の具体的な実施例の記述において、一種の実施形態に対して記述及び／又は示す特徴は、同一又は類似の方式で一つ又は複数の他の実施形態に使用され、他の実施形態における特徴と組合せ、又は他の実施形態における特徴を置き換えることができる。
【０１５０】
なお、用語「含む／包含」は、本文で使用される際に、特徴、要素、ステップ又はコンポーネントの存在を指すが、一つ又は複数の他の特徴、要素、ステップ又はコンポーネントの存在又は添加を排除しない。
【０１５１】
上記の実施例と例において、数字からなる符号を用いてそれぞれのステップ及び／又はユニットを示した。当業者であれば、これらの符号は、記述と製図を便宜に行うために、その順序又はいかなる他の限定を示すことはない。
【０１５２】
また、本発明の方法は、明細書に記述される時間順に従って実行することを限定せず、他の時間順に従って、並行又は独立に実行されることも可能である。従って、本明細書に記述される方法の実行順は、本発明の技術的範囲を制限しない。
【０１５３】
以上に本発明の具体的な実施例についての記述にて本発明を開示したが、上記の全ての実施例と例は例示的であり、制限しないと理解される。当業者は付随する特許請求の精神と範囲において、本発明に対する各種の修正、改進または均等物を設計することができる。これらの修正、改進または均等物も本発明の保護範囲に該当することは明らかである。
【図１】
2018520611.tif 000011
【図２】
2018520611.tif 000012
【図３】
2018520611.tif 000013
【図４】
2018520611.tif 000014
【図５】
2018520611.tif 000015
【図６】
2018520611.tif 000016
【図７】
2018520611.tif 000017
【図８】
2018520611.tif 000018
【図９】
2018520611.tif 000019
【図１０】
2018520611.tif 000020
【図１１】
2018520611.tif 000021
【図１２】
2018520611.tif 000022
【図１３】
2018520611.tif 000023
【図１４】
2018520611.tif 000024
【図１５】
2018520611.tif 000025
【図１６】
2018520611.tif 000026
【図１７】
2018520611.tif 000027
【図１８】
2018520611.tif 000028
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
無線通信のための電子機器であって、
第１のユーザ機器の近接サービスダイレクト通信の需要に応答して、当該第１のユーザ機器の現在のキャリアアグリゲーション状態を確定し、
前記第１のユーザ機器のキャリアアグリゲーション状態に基づいて、当該第１のユーザ機器の近接サービスダイレクト通信のために用いられる当該第１のユーザ機器の無線リソース配置を確定するように配置されている一つ又は複数のプロセッサを含む電子機器。
【請求項２】
確定したキャリアアグリゲーション状態、及び当該第１のユーザ機器の機器能力に基づいて、近接サービスダイレクト通信を可能にするように現在のキャリアアグリゲーションを再配置するかどうかを確定し、前記キャリアアグリゲーション状態は、集約されたコンポーネントキャリア数を含む請求項１に記載の電子機器。
【請求項３】
現在のキャリアアグリゲーションを再配置することは、
少なくとも一つの集約されたコンポーネントキャリアを解放させることと、
集約されたコンポーネントキャリアの一つを配置して近接サービスダイレクト通信のために使用することとの少なくとも一つを含む請求項２に記載の電子機器。
【請求項４】
前記一つ又は複数のプロセッサは、さらに、所定のキャリア集合から、前記第１のユーザ機器が近接サービスダイレクト通信を実行するためのキャリアを確定するように配置されている請求項２に記載の電子機器。
【請求項５】
前記一つ又は複数のプロセッサは、前記集約されたコンポーネントキャリアのうちチャネル品質が低い、又はアクティブではないコンポーネントキャリアを優先的に選択して解放させ、又は近接サービスダイレクト通信のためのキャリアとするように配置され、或いは、
前記一つ又は複数のプロセッサは、前記第１のユーザ機器と近接サービスダイレクト通信を行おうとする第２のユーザ機器が前記集約されたコンポーネントキャリアの一つと同じなキャリアを使用している場合に、当該同じキャリアを、前記第２のユーザ機器と前記第１のユーザ機器との間の近接サービスダイレクト通信のためのキャリアとして選択するように配置されている請求項３に記載の電子機器。
【請求項６】
前記一つ又は複数のプロセッサは、前記第１のユーザ機器によって使用された集約されたコンポーネントキャリアの数が所定の数に到達しない場合に、前記キャリア集合から、近接サービスダイレクト通信のために使用しようとするキャリアを選択するように配置され、前記キャリア集合は、前記第１のユーザ機器のサービング基地局がスケジューリング可能、且つ前記第１のユーザ機器、及び前記第１のユーザ機器と近接サービスダイレクト通信を行おうとする第２のユーザ機器によって使用されない複数のキャリアを含む請求項４に記載の電子機器。
【請求項７】
前記一つ又は複数のプロセッサは、さらに前記サービング基地局がサービングする、前記第１のユーザ機器以外の他のユーザ機器による前記キャリア集合におけるキャリアの使用状況に応じて、前記近接サービスダイレクト通信のために使用しようとするキャリアを選択するように配置されている請求項６に記載の電子機器。
【請求項８】
前記一つ又は複数のプロセッサは、
前記キャリア集合における少なくとも一部のキャリアについての参照信号受信電力の測定結果にアクセスし、
前記測定結果に応じて、前記近接サービスダイレクト通信に使用しようとするキャリアを選択するように配置され、
参照信号受信電力が低いキャリアを優先的に選択する請求項６に記載の電子機器。
【請求項９】
前記一つ又は複数のプロセッサは、前記キャリア集合における、前記近接サービスダイレクト通信として使用する候補キャリアについてのキャリアの指示情報を生成するように配置されている請求項６に記載の電子機器。
【請求項１０】
前記候補キャリアについての指示情報は、前記候補キャリアの優先順位に関する情報を含む請求項９に記載の電子機器。
【請求項１１】
前記候補キャリアについての指示情報を少なくとも前記第１のユーザ機器に送信するように配置されている送受信装置をさらに含む請求項９に記載の電子機器。
【請求項１２】
前記一つ又は複数のプロセッサは、所定の時間内に前記少なくとも一部のキャリアの全てのキャリアの前記測定結果を取得しない場合に、既に前記測定結果を取得したキャリアから前記近接サービスダイレクト通信に使用しようとするキャリアを選択するように配置され、
前記一つ又は複数のプロセッサは、所定の閾値よりも低い前記測定結果を取得した場合に、相応するキャリアを前記近接サービスダイレクト通信に使用しようとするキャリアとして選択するように配置され、或いは、
前記一つ又は複数のプロセッサは、所定の時間内に所定の閾値よりも連続的に低い前記測定結果を取得した場合に、相応するキャリアを、前記近接サービスダイレクト通信に使用しようとするキャリアとして選択するように配置されている請求項８に記載の電子機器。
【請求項１３】
前記キャリア集合は、近接サービスダイレクト通信に専用の１組の固定のキャリアを含み、或いは、
前記キャリア集合は、近接サービスダイレクト通信に専用の複数組の固定のキャリアを含み、各組のキャリアは、特定の範囲内の近接サービスダイレクト通信のために用いられる請求項４に記載の電子機器。
【請求項１４】
更に、システム情報ブロックにより前記キャリア集合についての指示情報をブロードキャストするように配置されている送受信装置を備える請求項４に記載の電子機器。
【請求項１５】
前記電子機器は前記第１のユーザ機器として作動する請求項１〜５のいずれか一項に記載の電子機器。
【請求項１６】
基地局からの、前記近接サービスダイレクト通信として使用する候補キャリアについての指示情報を受信するように配置されている送受信装置をさらに含む請求項１５に記載の電子機器。
【請求項１７】
前記一つ又は複数のプロセッサは、さらに、
前記候補キャリアについての基準信号受信電力の測定を制御し、
前記基準信号受信電力の測定結果に応じて前記近接サービスダイレクト通信に使用しようとするキャリアを選択するように配置され、
基準信号受信電力が低いキャリアを優先的に選択する請求項１６に記載の電子機器。
【請求項１８】
前記一つ又は複数のプロセッサは、
所定の時間内に前記候補キャリアの全てのキャリアの前記測定結果を取得しない場合に、既に前記測定結果を取得したキャリアから前記近接サービスダイレクト通信に使用しようとするキャリアを選択するように配置され、
前記一つ又は複数のプロセッサは、所定の閾値よりも低い前記測定結果を取得した場合に、相応するキャリアを、前記近接サービスダイレクト通信に使用しようとするキャリアとして選択するように配置され、或いは、
前記一つ又は複数のプロセッサは、所定の時間内に所定の閾値よりも連続的に低い前記測定結果を取得した場合に、相応するキャリアを、前記近接サービスダイレクト通信に使用しようとするキャリアとして選択するように配置されている請求項１７に記載の電子機器。
【請求項１９】
前記一つ又は複数のプロセッサは、さらに、
前記候補キャリアについての基準信号受信電力の測定を制御し、
前記候補キャリアについての基準信号受信電力の測定結果の指示情報を生成するように配置されている請求項１６に記載の電子機器。
【請求項２０】
無線通信方法であって、
第１のユーザ機器の近接サービスダイレクト通信の需要に応答して、当該第１のユーザ機器の現在のキャリアアグリゲーション状態を確定し、
前記第１のユーザ機器のキャリアアグリゲーション状態に基づいて、当該第１のユーザ機器の近接サービスダイレクト通信のために用いられる当該第１のユーザ機器の無線リソース配置を確定することを含む無線通信方法。
【国際調査報告】
2018520611.tif 000029
2018520611.tif 000030
2018520611.tif 000031
2018520611.tif 000032